【事件の表示】
　平成　４年特許願第　２８２２２号「プログラマブルコントローラのプログラミング装置」拒絶査定に対する審判事件［平成　５年　９月　３日出願公開、特開平　５−２２４７０９］について、次のとおり審決する。
【結　論】
　本件審判の請求は、成り立たない。
【理　由】
１．手続の経緯・本願発明
　本願は、平成４年２月１４日の出願であって、その発明は、請求項１に記載された、次のとおりのもの（以下、本願発明という。）である。
「【請求項１】プログラマブルコントローラにおいて実行するシーケンスプログラムを回路図の形態で作成し、表示画面上に表示するプログラマブルコントローラのプログラミング装置において、前記回路図を構成する部分回路の拡大又は圧縮についての変倍表示を指示する第１指示手段と、前記表示画面上における前記変倍対象の部分回路を指示する第２指示手段と、前記第１指示手段の指示に応じて、前記第２指示手段の指示する前記表示画面上の部分回路を前記変倍表示の種類に対応させて特定方向へ予め定められた距離だけ移動させる第１表示制御手段と、該第１表示制御手段により移動された部分回路と、前記移動しない他の部分回路とを前記表示画面上において結線図形により接続する第２表示制御手段とを具え、前記各指示手段の指示内容に応じて縦及び横方向の圧縮を同時に実行することを特徴とするプログラマブルコントローラのプログラミング装置。」
　
２．引用例
　原査定の拒絶の理由に引用された特開昭５９−１２５４０７号公報（以下、引用例１という。）には、「コンピュータ・プログラムの自動作成装置」（発明の名称）が記載され、図面と共に以下の記載がある。
「本発明はコンピュータ・プログラムの自動作成装置に関するものである。さて、汎用プログラマブルコントローラが開発され、その適用が拡大するにつれ、プログラミング作業の簡素化、省力化および該コントローラのメンテナンス容易化などのため、専門知識を必要とせず、簡単に取り扱いが可能なプログラミングツールの要求が高まり、これに応えるものとして、コンピュータ・プログラムの自動作成装置が開発されている。本発明は、かかる自動作成装置を前提としてその操作性の改善に関するものである。」（１頁左下欄１９行〜右下欄１０行）、
「プログラムの作成は、制御内容に従ったラダー図８を作り、次に作成装置１において、直接各回路要素に対応したキーを順次操作してＣＲＴ画面上に同一のラダー図を描くことで処理される。」（１頁右下欄２０行〜２頁左上欄３行）、
「この種の作成装置におけるプログラミング機能としては、ラダー図として表示された回路を拡大して表示し直す拡大機能が知られているが、これには不要箇所を書き換えなければならないという欠点がある。たとえば、第４図に示した回路を第５図に示すように変更する場合、拡大機能を用いてプログラミングをするためには、まず、第４図を第６図のように一旦拡大する。その後、第６図の１０１、１０２、１０３の箇所を変更して第５図の図形を作成する。」（２頁右上欄１４行〜左下欄３行）
　すなわち、引用例１では、第４図に示した回路を第５図に示すように拡大機能を用いて変更する場合に、まず、第４図の画面において、第６図のように拡大するために、拡大することをプログラミング装置に指示し、次に、拡大しようとする対象となる部分回路を指示し、部分回路を右方向に予め決められた距離だけ移動し、移動された部分回路と移動しない部分回路とを結線図形により接続して第６図のように拡大された回路図を表示画面に表示することが、開示されていると認められる。
　よって、引用例１には、プログラマブルコントローラにおいて実行するシーケンスプログラムを回路図の形態で作成し、表示画面上に表示するプログラマブルコントローラのプログラミング装置において、前記回路図を構成する部分回路の拡大または縮小についての変倍表示を指示する第１指示手段と、前記表示画面上における前記変倍対象の部分回路を指示する第２指示手段と、前記第１指示手段の指示に応じて、前記指示手段の指示する前記表示画面上の部分回路を前記変倍表示の種類に対応させて特定方向へ予め定められた距離だけ移動させる第１表示制御手段と、該第１表示制御手段により移動された部分回路と、前記移動しない他の部分回路とを前記表示画面上において結線図形により接続する第２表示制御手段とを具えた、プログラマブルコントローラのプログラミング装置が開示されていると認められる。
　また、同じく原査定の拒絶の理由に引用された特開昭５９−１２５４０８号公報（以下、引用例２という。）には、「コンピュータ・プログラムの自動作成装置」（発明の名称）が記載され、図面と共に以下の記載がある。
「本発明はコンピュータ・プログラムの自動作成装置に関するものである。さて、汎用プログラマブルコントローラが開発され、その適用が拡大するにつれ、プログラミング作業の簡素化、省力化および該コントローラのメンテナンス容易化などのため、専門知識を必要とせず、簡単に取り扱いが可能なプログラミングツールの要求が高まり、これに応えるものとして、コンピュータ・プログラムの自動作成装置が開発されている。本発明は、かかる自動作成装置を前提としてその操作性の改善に関するものである。」（１頁右下欄３行〜１４行）、
「この手数を省くものとしては、拡大可能が知られているが、これには下記のような欠点がある。第５図（ａ）は、この種の出力要素１０１の最終単位を示している。第５図（ｂ）に示すような拡大した回路を作成する場合、拡大機能を用いて行うと、まず、第５図（ｃ）に示すような最小単位の打ち込みを行い、その後、この出力要素１０１を目的の大きさまで第５図（ｃ）に示したごとく、拡大した後、第５図（ｂ）に示すような回路を作成するという手順になる。」（２頁左下欄９行〜１８行）
　すなわち、引用例２には、プログラマブルコントローラにおいて実行するシーケンスプログラムを回路図の形態で作成し、表示画面上に表示するプログラマブルコントローラのプログラミング装置において、部分回路を縦方向に拡大することが開示されていると認められる。
３．対比・判断
（１）対比
　本願発明と引用例１に記載されたものとを比較すると、プログラマブルコントローラにおいて実行するシーケンスプログラムを回路図の形態で作成し、表示画面上に表示するプログラマブルコントローラのプログラミング装置において、前記回路図を構成する部分回路の拡大又は圧縮についての変倍表示を指示する第１指示手段と、前記表示画面上における前記変倍対象の部分回路を指示する第２指示手段と、前記第１指示手段の指示に応じて、前記第２指示手段の指示する前記表示画面上の部分回路を前記変倍表示の種類に対応させて特定方向へ予め定められた距離だけ移動させる第１表示制御手段と、該第１表示制御手段により移動された部分回路と、前記移動しない他の部分回路とを前記表示画面上において結線図形により接続する第２表示制御手段とを具えた、プログラマブルコントローラのプログラミング装置である点で一致し、
　本願発明は、各指示手段の指示内容に応じて縦及び横方向の圧縮を同時に実行するのに対し、引用例１にはこの構成については明示されない点で相違が認められる。
　　
（２）判断
　上記相違点について検討する。
　プログラミング装置において、横方向に拡大することは引用例１に開示され、縦方向に拡大することは引用例２に開示されている。
　そして、プログラミング装置において、部分回路を拡大する場合、拡大操作をしたあとで元に戻す機能を持たせることは、見やすい回路図を得るためには当然に必要になることと認められる。
　そして、ワープロソフトや表計算ソフトに見られるように、画面上に表示されたものに対して、同様な処理を複数回行う場合、一つの命令で同時に行うことは、文字列の置換処理等で周知であり、さらに、複数の命令や手順を一つの命令で自動実行させることは、「マクロ」と呼ばれ周知である。
　したがって、各指示手段の指示内容に応じて縦及び横方向の圧縮を同時に実行するようにすることは、当業者が容易に想到し得たことと認められる。
　そして、本願発明が奏する「（１）作成したシーケンスプログラム中に新たにシーケンス命令を挿入したい場合、従来では多数の図形要素を順次に移動させなければならず、ユーザのキー操作回数が非常に多くなっていたが、本実施例の場合は１回の移動指示でよい。（２）拡大表示されたシーケンス回路は拡大前のシーケンス回路と等価であるので、予めシーケンス命令の増設が予想される場合はシーケンスプログラム上の増設位置に拡張処理のみを施しておくことで、実際にシーケンス命令の増設変更を行う際のユーザの操作が容易となる」という作用効果は、引用例１、２及び周知技術から当業者が予測できる範囲のものである。
　よって、本願発明は、引用例１、２及び周知技術に基づいて当業者が容易に発明をすることができたものである。
　
４．むすび
　以上のとおり、本願の特許請求の範囲の請求項１に係る発明は、特許法第２９条第２項の規定により特許を受けることができない。
　よって、結論のとおり審決する。